(57)【特許請求の範囲】
【請求項１】
フェロモントラップの器体上部の雨除けカバーと、前記器体上部の殺虫用プレート及び器体に設けたファネルの吐出口下部に雨水排水傾斜板を介して始動用センサ及びこれと連動する間隔調節可能の殺虫用回転板よりなる中間ファネルと、その下部の下部ファネル及び、ファネルの吐出口に接続したセンサー用ガラス管にセットしたカウント用赤外線センサと、その器体下部に殺虫用プレートを設けた害虫を収集する引出しとよりなる器体装置としたことを特徴とするフェロモントラップによる飛翔性害虫の誘殺及び計数装置
【請求項２】
フェロモントラップの器体上部の雨除けカバー内に垂下したフェロモン保持具及び、これに周設した１次電極と、前記トラップの器体に設けたファネルと、そのファネルの吐出口より電撃落下した害虫を計測する直線並列型電極及びこれに連動する回転移動清掃子よりなる２次電極とその下部の傾斜誘導板を介して器体下部に殺虫プレートを備えた引出しとよりなる器体装置としたことを特徴とするフェロモントラップによる飛翔性害虫の誘殺及び計数装置
【請求項３】
フェロモントラップ器体上部の雨除けカバー内に垂下したフェロモンと、器体上部に設けたファネルと、そのファネルの吐出口下部に直線並列型電極及び、これに連動する回転移動清掃子とよりなる２次電極を設置し、その下部の傾斜誘導板を介して器体下部に殺虫プレートを備えた引き出しとを設けた器体装置とよりなることを特徴とするフェロモントラップによる飛翔性害虫の誘殺および計数装置
【請求項４】
請求項２もしくは請求項３に記載した２次電極において、器体のファネル吐出口下部にＶ形電極を設け、このＶ形電極のＶ部に嵌合してクランク軸により直交方向に水平移動する水平移動清掃子を設け、この水平移動子は前記電極間のＶ部に害虫がファネルの吐出口より落下した際の接触信号によりＶ部を水平に往復作動してＶ形電極間に落下した害虫を払拭処理するように設けた２次電極としたことを特徴とするフェロモントラップによる飛翔性害虫の誘殺及び計数装置
【請求項５】
請求項２、３もしくは４のいずれかに記載した２次電極において、器体のファネル吐出口下部にＶ形電極を設け、このＶ形電極のＶ部に嵌合して直交方向に回転運動する回転移動清掃子を回転バーの先端に設け、ファネルの吐出口より落下した害虫がＶ形電極間に接触した際、その接触信号により前記回転移動清掃子がＶ形電極間を回転運動し電極間に落下した害虫を摩擦圧着死させ払拭処理するように設けた２次電極としたことを特徴とするフェロモントラップによる飛翔性害虫の誘殺及び計数装置
【請求項６】
請求項２、３、４もしくは５のいずれかに記載した２次電極において器体のファネル吐出口下部にＶ形電極を設け、このＶ形電極間に嵌合して上下可動する上下動アームを設け、この上下動アームがファネルの吐出口より落下した害虫がＶ形電極間に接触した際その接触信号により前記上下動アームがＶ形電極間を上下可動しＶ形電極間に落下した害虫を圧殺又は潰死させて放出するように設けたことを特徴とするフェロモントラップによる飛翔性害虫の誘殺装置
【請求項７】
請求項２、３、４、５もしくは６のいずれかに記載した２次電極において器体のファネル吐出口下部に固定清掃ブラシを対設したＶ形電極を設け、このＶ形電極間に直交方向に回転する回転アームを設け、そのＶ形電極間にファネル吐出口より落下した害虫の接触信号により回転アームが回転しＶ形電極間に対設した固定清掃ブラシを介して害虫を挟着摩擦して圧殺し強制排除するように設けたことを特徴とする飛翔性害虫の誘殺及び計数装置
【発明の詳細な説明】
【０００１】
【発明の属する技術分野】
本発明は農作物果樹園芸等作物、植物を食害する飛翔性害虫の発生予察及びデータ収集及び防除について捕殺及び計数手段装置に関するものである。
【０００２】
【従来技術】
現在飛翔性害虫の防除と発生予測手段として利用する害虫の捕集捕殺方法としては粘着型、生捕型、電撃型、殺虫型、水盤による捕集等の各手段が開発され実施されている。
しかしその発生域の野外に設置するフェロモントラップの各装置においては、発生数の実態を把握する手段装置と捕捉した実数の把握において誤差があり充分な成果を得るに至らない面があった。
【０００３】
【発明が解決しようとする課題】
本発明はフェロモンにより誘引した飛翔性害虫の計数手段及び、その捕殺等の発生消長により害虫の種類、発生数のデータの収集及び防除時期及び手段について利用者にとってもフェロモントラップの有効性と共にコスト面及び使用性、電撃手段の安全性のある構成装置を提供することを課題とした。
【０００４】
【課題を解決するための手段】
上記の課題を解決するための手段としては、特許請求の範囲に記載した請求項１〜請求項７の構成要件を要旨とするものである。
【０００５】
【発明の実施の形態】
【実施例】
以下本発明の実施の形態について図示説明する。
【０００６】
【０００７】
図１は請求項１に記述した機械的殺虫方式によるフェロモントラップ装置である。
この方法、装置は害虫の発生防除をより精度の高い捕殺及び測定を目的とした器体構成である。
本発明はフェロモントラップが野外に設置され、風雨、温度差等自然環境による影響を受け易く、フェロモントラップの機能の低下、装置の損耗による計数の精度誤差を少くするための構成装置で、器体の耐用強度や殺虫プレートのガス致死による計数機能の正確性と、安定した精度低下の防止を図るもので、致死状の害虫の徘徊によってセンサーによる数値誤差の防止を図る。
図１、図２、図３はこれの実施例でトラップ器体２０の上部に雨除けカバー２１を被着しこれにフェロモンＦを下設し害虫の進入する進入口２３を調節可能に設ける。長方形器体２０はカバー２１の下部に設けたロート状の上部ファネル２５、ファネル吐出口２４の下部に中間ファネル２６、下部ファネル２７、器体の最下部に引き出し筐体２８を設けた器体構成とし、上部ファネル２５には器体に取着した殺虫プレート２９とその下部に器体への雨水の侵入を下向きに傾斜した排水傾斜板３０を取付ける。
殺虫プレートはＤＤＶＰ燻蒸剤を含浸し害虫をガスに暴露させる空間を広くして滞留時間を長くして殺虫効果を昂める。
傾斜板は雨水を集水し易いように板の一側後ろ面を傾けて溝となるように傾設し（図示省略）端部３１は稍上方に起立させて器体に設けた雨水の排水孔３２より器体外に注出するように構成する。
中間ファネル２６の吐出口には始動用光センサー３３を設け吐出口より落下する害虫の通過で始動用光センサー３３により害虫の通過をパルス信号により殺虫用回転円盤３４を始動させ器体外に接続した計数測定装置（図示せず）により計測する。
【０００８】
図１の殺虫用回転円盤３４は図２、図３で示すようにモーターＭの回転軸３５にスプリング３６で中間をバネ圧縮（反動）し、かつ間隔調整可能に設置した回転円盤３４を中間ファネルの吐出口下部に設置し、落下した害虫を回転円盤で狭着圧接し仮死状態の害虫も完殺し下部ファネル２７に落下させる。３７は回転円盤３４で挟殺附着により汚染した円盤の清掃用ブラシで円盤面をブラッシングする。回転円盤３４の間隔は対象害虫の大小により狭圧間隙大のＷと間隙小のＳ及び回転速度を調節可能に設置する。
殺虫プレートが古くなりガスの発生が少なくなると弱体化した害虫がセンサ部を徘徊してミスカウントの原因ともなるので、回転円盤により（又はローラ）落下させてカウントミスを防止する作用も果す。
【０００９】
図４は請求項２に記述した装置の実施例である。
図４は雨除けカバー３８と雨除けカバー内に垂下したフェロモン保持具Ｆ及びこれに周設した１次電極３９と、その下部に設置するフェロモン器体４０の構成を示す。１次電極３９はフェロモンＦの周囲に等間隔で円周状に下架設した電撃用の１次電極を４〜８ｍｍ間隔に絶縁下設し直流の高電圧（１０００〜数千Ｖ）によりフェロモンに誘導飛来した害虫ｎｗを接触により感電致死又は仮死させ、器体４０に設置したロート状のファネル４１内に落下させる。図５、図６は回転移動清掃子の構成と作用の実施例でファネル４１の吐出口下部には直線並列型電極４２（１０００〜数千Ｖ）とこれに接触した害虫ｎｗによるパルス信号によって連動する回転移動清掃子４３で、駆動する減速モーターＭの回転軸４４に着装したブラシ等の清掃部４５により器体下部にブラッシングして害虫を除去落下させる。又、本装置は電極４２、及びこれと連動する回転移動清掃子４３の構造上、田や周辺畑地に棲息する小型の青蛙等の生息体や大型昆虫が入っても、詰まることなく電撃死させる特徴を備えており、１カウントの誤差範囲内で処理できる利点がある。
４６は殺虫又は分解致死させた害虫を集中落下させる交叉した斜向板（登上防止板）、４７は殺虫プレート、４８は器体下底部にセットして殺虫した害虫や致死分解した害虫を収集する引出しである。
【００１０】
図７は請求項３に記載したトラップ装置を示すもので、器体の雨除けカバー４９のフェロモン杆周囲の１次電極を省力化しフェロモン器体５０内のファネル５１とその下部の直線並列型電極５２の２次電極装置に主力を置いたトラップ装置である。
その作用を示せばトラップ器体５０の雨除けカバーのフェロモンに誘引されてフェロモン保持具に衝突したり雌雄を誤認して絡みあってファネル５１に落下して、下部の直線並列型電極５２の２次電極の高電圧（１０００Ｖ〜数千Ｖ）に接触したとき完全に殺虫され、その際のスパーク（パルス）信号により器体外の測定装置（図示省略）で記録される。
本装置は高圧電極が器体内装置として露出していないので、危険度が低く電気用品取締法に該当しないトラップ装置としての特徴を備えている。従って電気用品取締法に該当する高圧電極を露出した他の実施例としてトラップ装置（図１のトラップ装置を除く）と対比し安全性が高く利点が大きい。
なお、直線並列型電極及びこれと連動する回転移動清掃子は図５、図６の直線並列型２次電極４２及び、図６の回転移動清掃子４３と同一構成であるのでカウント作用等の図面による詳細な説明は省略する。
【００１１】
上述した図４〜図７に説明した２次電極は請求項２、請求項３に記載した実施構成の一部を示したものであるが、２次電極の実施装置としての構成はこれに限定されるものでなく図８〜図１７による他の実施構成によっても可能であるので以下これについて図示説明する。
図８〜図１１は請求項４の実施構成の２次電極５７の要部を示すもので既述したフェロモン器体のファネル吐出口下部に設けたＶ字形の２次電極装置である。
この２次電極５７は、図示しない器体内のファネルの吐出口下部に吐出口を受けるように電極保持絶縁物５８に下部をＶ形に開口５９した電極６０を組み合わせ、この開口部５９に直交方向に水平移動する水平移動清掃子６１を嵌合する。図８〜図１１において水平移動清掃子６１は角錐形に形成されモーターＭに連結した連結軸６２とクランク軸６４によりＶ形電極の開口部５９に嵌合して直交方向（横方向）水平に往復運動してＶ形電極間にファネル吐出口より落下した害虫を狭着し、摩擦圧死し電極外に放出する。
なお、００１０〜００１４の電極殺虫によるカウント手段は００１０におけるパルス信号によるカウント作用と同一手段である。
【００１２】
図１２、図１３は請求項５に記述した２次電極の第３の実施装置を示すものであり、Ｖ形型の２次電極６５のＶ字部に嵌合して直交方向に回転する角錐形の回転移動清掃子６７をモータＭの回転バー６６の上端に装着し、Ｖ字部に取着させた固定清掃ブラシ６８を介してＶ字形電極間に落下させて摩擦圧着死した害虫を器体下部に強制排除する。
【００１３】
図１４、図１５は請求項６に記述した２次電極の実施構成を示し、器体に設けたファネル下部の２次電極６９はＶ形電極間に上下動アーム７０を嵌着し、モータＭのクランクアーム７に軸装したクランク円盤７２の回転により上下可動しＶ形電極間に落下した害虫を摩擦圧着死して器体下部に強制除掃するように構成した２次電極装置である。
【００１４】
図１６、図１７は請求項７に記述した２次電極の実施装置である。２次電極７３は調整可能で摩擦孔７７を設けたＶ形電極を電極保持絶縁体７４で保持し、モータＭに軸着した回転アーム７５をＶ形電極間に直交方向に回転させて摩擦圧着死させてＶ形電極にそれぞれ対設固定した清掃ブラシ７６を介して電極間に落下した害虫を除掃する。
本装置の特徴は０００９の記述と同様、図１６、図１７に示す２次電極７３はＶ型でスプリングを介して取り付けてあるので、田圃にいる小型の青蛙が入っても電極のスプリング調節作用により開いて青蛙を電撃死するので蛙の圧殺による内臓の露出や附着による電極の汚染を防止できる特徴があり計測上は１カウントの誤差の範囲内で処理できる。
【００１５】
【本発明の効果】
以上本発明は従来発生害虫のカウント手段として赤外線センサー方式を利用してきたが従来装置は長期間の連続使用で赤外線センサーの発光部と受光部を保持するガラス管が害虫の鱗粉による汚染でカウント機能の低下による数値誤差や器体装置の耐用性に難点があったが、赤外線センサーを利用する手段装置の開発についてＡＧＣをセンサー回路に補正することによって、センサー光路の清掃と省力化に有効新規な実施効果のあることが示された。
更に、センサーを保持し害虫を通過させるカウント用のガラス管もΦ５０から２０ｍｍの細管としたので発光部と受光部の間隔が狭くなり計数確度を昂め誤差率の低下に大きく役立つ効果が実証された。
又、本発明装置として説明した実施構成の２次電極として採用した請求項２、請求項３の直線並列型電極による電撃殺虫手段と、請求項４〜請求項７における２次電極として利用したＶ形２次電極装置も有効な機械的殺虫構成手段としてフェロモントラップ装置の新規手段として実用化が期待できる。
【図面の簡単な説明】
【図１】  フェロモントラップ内に誘導した害虫を上部ファネルと中間ファネル及び下部ファネル内に始動用光センサーと殺虫用回転円盤を組み合わせこれに赤外線センサーでカウントするフェロモントラップ装置の断面構成図
【図２】  図１の殺虫用回転円盤の構成作用を示す拡大正面図
【図３】  図２の拡大側面図
【図４】  フェロモントラップ内にファネル下部に直線並列型の２次電極と回転移動清掃子と組み合わせた実施例図
【図５】  図４の２次電極（直線並列型電極）４２の実施例図
【図６】  図４の回転移動清掃子４３の実施例斜視図
【図７】  フェロモントラップ雨除けカバーに設けたフェロモンと、１次電極を省略し器体内ファネル下部に２次電極と回転清掃子を組み合わせた実施例概要図
【図８】  ２次電極のＶ型電極の構成を示す要部側面図
【図９】  図８の全体の構成と作用を示す正面図
【図１０】  図８、図９のＶ型電極に嵌合する水平移動清掃子の斜視図
【図１１】  図９の水平移動清掃子の移動を示す平面図
【図１２】  ２次電極のＶ型電極の他の構成を示す要部図
【図１３】  図１２の作用を示す平面及び側面より見た全体概要図
【図１４】  ２次電極のＶ型電極の上下動アームによる構成作用を示す正面要部図
【図１５】  図１４の構成作用の側面要部図
【図１６】  ２次電極のＶ型電極による回転アームによる構成作用の正面要部図
【図１７】  図１６の側面要部図
【符号の説明】
２０，４０，５０．  フェロモントラップ
２１，３８，４９．  雨除けカバー
３９．  電撃用１次電極
２５，２６，２７，４２，５１．  ファネル
３３．３９．  カウント用赤外線センサ
５６．  引き出し
２９，４７，５５．  殺虫プレート
２６．  中間ファネル
３３．  始動用光センサ
３４．  殺虫用回転円盤
３６．  スプリング
３７．  清掃用ブラシ
４２，５２，５７，６５，６９，７３．  ２次電極
４３，５３，６７．回転移動清掃子
６１．  水平移動清掃子
７０．  上下動アーム
７７．  摩擦孔
Ｆ．  フェロモン
ｎｗ．  害虫
【図１】
0003794625.tif 000002
【図２】
0003794625.tif 000003
【図３】
0003794625.tif 000004
【図４】
0003794625.tif 000005
【図５】
0003794625.tif 000006
【図６】
0003794625.tif 000007
【図７】
0003794625.tif 000008
【図８】
0003794625.tif 000009
【図９】
0003794625.tif 000010
【図１０】
0003794625.tif 000011
【図１１】
0003794625.tif 000012
【図１２】
0003794625.tif 000013
【図１３】
0003794625.tif 000014
【図１４】
0003794625.tif 000015
【図１５】
0003794625.tif 000016
【図１６】
0003794625.tif 000017
【図１７】
0003794625.tif 000018